(57)【要約】【課題】柱用の鉄骨の目違いの修正に要する労力の低減に寄与する治具を提供すること。【解決手段】先に設置された柱用の下方の鉄骨（１２）と、下方の鉄骨に継ぎ足される柱用の上方の鉄骨（１４）との間に生じた目違いを修正するために用いられる治具（１１０）である。治具は、梃子部材（２０）と、ボルト（２２）とからなる。梃子部材は、両鉄骨の端部にそれぞれ設けられた２つの板状のエレクションピース（１６、１８）にこれらの一方の側においてそれぞれ対向可能である一端部（２８）及び他端部（３０）と、両エレクションピース間を通して両エレクションピースの一方にその他方の側において対向可能である鉤形部（２６）とを有する。ボルト（２２）は梃子部材の一端部に螺合され、両エレクションピースの一方にその一方の側において対向可能である先端部（２２ａ）を有する。【選択図】図２
2018131739.tif 000002
【特許請求の範囲】
【請求項１】
先に設置された柱用の下方の鉄骨と、該下方の鉄骨に継ぎ足される柱用の上方の鉄骨との間に生じた目違いを修正するために用いられる治具であって、
梃子部材と、ボルトとからなり、
前記梃子部材は、両鉄骨の端部にそれぞれ設けられた２つの板状のエレクションピースにこれらの一方の側においてそれぞれ対向可能である一端部及び他端部と、両エレクションピース間を通して両エレクションピースの一方にその他方の側において対向可能である鉤形部とを有し、
前記ボルトは前記梃子部材の一端部に螺合され、両エレクションピースの一方に対して対向可能である先端部を有する、治具。
【請求項２】
前記梃子部材は板体からなる、請求項１に記載の治具。
【発明の詳細な説明】
【技術分野】
【０００１】
本発明は、鉄骨柱の建て方において先に設置された柱用の下方の鉄骨と、該下方の鉄骨に継ぎ足される上方の鉄骨との間に生じた目違い、すなわち下方の鉄骨に対する上方の鉄骨の水平方向に関するずれを修正するために用いられる治具に関する。
【背景技術】
【０００２】
従来、このような目違いの修正に供される治具が提案されている。この治具は、本体及び引き掛け部を有する板体と、該板体の互いに相対する両端面にそれぞれ取り付けられた一対のナットと、両ナットにそれぞれ螺合された一対のボルトとを備え、前記フック部が前記本体から前記ナットとほぼ平行に突出している。
【０００３】
前記従来の治具にあっては、その使用に際し、目違いが生じた上下の両鉄骨のエレクションピース間に板体の引き掛け部を通し、引き掛け部を両鉄骨のエレクションピースの一方、例えば下方の鉄骨のエレクションピースに引き掛け、次いで、このときに下方の鉄骨のエレクションピースに対向するナットに螺合されたボルトを進めてその先端部を下方の鉄骨のエレクションピースに当接させる。次に、上方の鉄骨のエレクションピースに対向するナットに螺合されたボルトを進め、上方の鉄骨のエレクションピースに水平外力を付与する。これにより、上方の鉄骨を下方の鉄骨上で水平移動させ、下方の鉄骨に対する上方の鉄骨の水平方向に関するずれである目違いを修正する。
【先行技術文献】
【特許文献】
【０００４】
【特許文献１】特開２００２−１９４８９７号公報
【発明の概要】
【発明が解決しようとする課題】
【０００５】
ところで、重量物である上方の鉄骨の水平移動には、ボルトの回転操作に多大の労力を要する。鉄骨の目違いの修正は、高所で行う作業であり、その安全性の確保の観点から、これに要する労力はできるだけ少ないことが望ましい。
【０００６】
したがって、本発明の目的は、柱用の鉄骨の目違いの修正に要する労力の低減に寄与する治具を提供することにある。
【課題を解決するための手段】
【０００７】
本発明は、先に設置された柱用の下方の鉄骨と、該下方の鉄骨に継ぎ足される柱用の上方の鉄骨との間に生じた目違いを修正するために用いられる治具に係り、治具は、梃子部材と、ボルトとからなる。前記梃子部材は、両鉄骨の端部にそれぞれ設けられた２つの板状のエレクションピースにこれらの一方の側においてそれぞれ対向可能である一端部及び他端部と、両エレクションピース間を通して両エレクションピースの一方にその他方の側において対向可能である鉤形部とを有する。また、前記ボルトは前記梃子部材の一端部に螺合され、両エレクションピースの一方に対してその一方の側において対向可能である先端部を有する。前記梃子部材は例えば板体からなる。
【０００８】
本発明に係る治具にあっては、その使用に際し、目違いが生じた上下の両鉄骨のエレクションピース間に梃子部材の鉤形部を通し、前記梃子部材を、その一端部及び他端部がそれぞれ両エレクションピースの一方及び他方、例えば下方の鉄骨のエレクションピース（下方のエレクションピース）及び上方の鉄骨のエレクションピース（上方のエレクションピース）にこれらの一方の側において対向しかつ前記鉤形部が下方のエレクションピースにその他方の側において対向する状態におく。このとき、前記梃子部材の一端部に螺合されたボルトの先端部が下方のエレクションピースにその一方の側において対向する。次に、前記ボルトを回してこれを進め、その一端部を下方のエレクションピースに押し当てる。これに伴って、前記梃子部材の一端部と他端部とがそれぞれ下方のエレクションピースと上方のエレクションピースとに当接する。次いで、前記ボルトをさらに回すと、前記梃子部材の一端部が前記ボルトに対してその軸線方向へ相対移動する。これにより、前記梃子部材が、下方のエレクションピースの周りに回転し、その他端部において下方のエレクションピースを反力支持体として上方のエレクションピースに水平外力を及ぼす。その結果、上方の鉄骨が下方の鉄骨上を水平移動し、両鉄骨間の目違いが修正又は解消される。
【０００９】
本発明によれば、前記梃子部材は、前記目違いの修正において、梃子の機能を発揮する。このため、前記梃子部材の一端部に比較的小さい力を付与することで、前記梃子部材の他端部において重量物である上方の鉄骨に比較的大きい力を付与することができる。このことから、前記梃子部材の一端部に力を付与するために行う前記ボルトの回転操作に要する力を比較的小さいものとすることができ、これにより、目違いの修正に要する労力の低減を図ることができる。また、本発明によれば、前記従来の目違い修正治具と比べて構造がより単純であり、また、より軽量であり、さらに取扱いがより容易である目違い修正治具を提供することが可能であり、このことも、また、目違いの修正に要する労力の低減に寄与する。
【図面の簡単な説明】
【００１０】
【図１】本発明の一実施形態に係る目違い修正用治具の斜視図である。
【図２】上下の両柱用鉄骨のエレクションピースに取り付けられた目違い修正用治具の側面図である
【図３】図２に示す目違い修正用治具の背面図である。
【図４】目違いの修正後における目違い修正治具の側面図である。
【発明を実施するための形態】
【００１１】
図1を参照すると、本発明の一実施例に係る治具が全体に符号１０で示されている。治具１０は、梃子部材２０と、ボルト２２とからなる。梃子部材２０は、梃子の機能を発揮する部材であり、また、ボルト２２は梃子部材２０に対してこれに回転力を与えるための部材である。
【００１２】
図２に示すように、治具１０は、鉄骨柱の建方において、先に設置され垂直に伸びる下方の鉄骨１２と、該鉄骨に継ぎ足される上方の鉄骨１４との間に生じた目違い、すなわち下方の鉄骨１２に対する上方の鉄骨１４の水平方向に関するずれを修正するために用いられる。治具１０は、前記目違いの修正のために、両鉄骨１２、１４にそれぞれ設けられた後記エレクションピース１６、１８に取り付けられている。
【００１３】
図示の両鉄骨１２、１４はそれぞれ矩形の横断面形状を有する鋼管からなり、上方の鉄骨１４は、下方の鉄骨１２への継ぎ足しのため、例えばクレーン（図示せず）により下方の鉄骨１２上に吊り下げられ、これに載置される。
【００１４】
前記クレーンによる吊り下げのため、両鉄骨１２、１４の上端部及び下端部にそれぞれ複数の板状のエレクションピース１６、１８が取り付けられている。より詳細には、４つのエレクションピース（下方のエレクションピース）１６が下方の鉄骨１２の４つの側面に、また、４つのエレクションピース（上方のエレクションピース）１８が上方の鉄骨１４の４つの側面に、それぞれ、これらの側面と直交するように配置され上下方向へ伸びている。上下の各エレクションピース１６、１８は、通常、各鉄骨１２、１４の横断面形状である前記矩形の各辺の中央部に配置されている。また、各側面上における上下の両エレクションピース１６、１８相互間には間隙Ｓが存する。
【００１５】
治具１０の梃子部材２０は全体に丸みを帯びた平面形状又は輪郭を有する鋼製の板体からなり、上下の両鉄骨１２、１４に対してこれらの側面と平行に配置されている（図３参照）。梃子部材２０は、図２で見て、縦方向（上下方向）へ伸びる本体２４と、該本体から横方向へ張り出す鉤形部２６とを有する。本体２４は、梃子部材２０の一端部２８及び他端部３０をそれぞれ規定する両端部を有する。
【００１６】
梃子部材２０の鉤形部２６は、図２で見て、下方及び上方の両鉄骨１２、１４のエレクションピース１６、１８相互間の間隙Ｓを挿通可能である長さ寸法を有する。鉤形部２６は先端部分３２を有する。先端部分３２は、梃子部材２０が梃子としての機能を発揮するように、梃子部材２０の一端部２８及び他端部３０間の中間位置よりも他端部３０寄りに配置されている。換言すると、本体２４の長手方向に関して、梃子部材２０の一端部２８と鉤形部２６の先端部分３２との間の距離ａが、他端部３０と鉤形部２６の先端部分３２との間の距離ｂより大きい（ａ＞ｂ）ものに設定されている。
【００１７】
ボルト２２は、梃子部材２０の一端部２８に螺合され該一端部を貫通している。より詳細には、一端部２８に設けられたねじ溝（図示せず）にボルト２２のねじ山が係合している。ボルト２２は、好ましくは、治具１０が両鉄骨１２、１４に取り付けられた図２に示す状態で見て、下方の鉄骨１２のエレクションピース１６に対して直交するように配置される。
【００１８】
治具１０は次のようにして上下の両エレクションピース１６、１８に取り付けることができる。
【００１９】
まず、梃子部材２０の鉤形部２６を両エレクションピース１６、１８間（Ｓ）に通し、鉤形部２６を下方のエレクションピース１６上に載せる。このとき、梃子部材２０の一端部２８及び他端部３０がそれぞれ下方のエレクションピース１６及び上方のエレクションピース１８にこれらの一方の側（図２において右側）、すなわちこれらの一方の側面１６ａ、１８ａの側において対向する。また、鉤形部２６、より正確にはその先端部分３２が下方のエレクションピース１６にその他方の側（図２において左側）、すなわちその他方の側面１６ｂの側において対向する。また、梃子部材２０の一端部２８に螺合されたボルト２２の先端部２２ａが下方のエレクションピース１６に対してその一方の側（一方の側面１６ａの側）において対向する。
【００２０】
次に、ボルト２２を回してその先端部２２ａを下方のエレクションピース１６に向けて進め、これに押し当てる。これにより、梃子部材２０が下方のエレクションピース１６の周りに図２で見て反時計方向へわずかに回転し、梃子部材２０の他端部３０と鉤形部２６の先端部分３２とが、それぞれ、これらの輪郭を規定する前記板体の周面の一部３４、３６において、上方のエレクションピース１８の一方の側面１８ａと下方のエレクションピース１６の他方の側面１６ｂとに当接する。これにより、治具１０の取り付けが完了する。
【００２１】
その後、ボルト２２を回す。このとき、ボルト２２はその先端部２２ａが下方のエレクションピース１６の一方の側面１６ａに当接し、さらなる進行を止められているため、ボルト２２の回転に伴って、下方のエレクションピース１６を反力支持体として、梃子部材２０の一端部２８がボルト２２に対してその軸線方向へ相対移動し、下方のエレクションピース１６から次第に離れる。図示の例において、ボルト２２の先端部２２ａは球面の一部からなるものとされている。これにより、下方のエレクションピース１６に対するボルト２２の先端部２２ａの接触抵抗を低減し、ボルト２２の回転に要する力をより小さくすることができる。
【００２２】
ボルト２２の回転操作に伴い、梃子部材２０が、下方のエレクションピース１６の周りに、反時計方向へ回転する。回転の間、鉤形部２６の先端部分３２はその輪郭を規定する前記板体の周面の一部３６において下方のエレクションピース１６の側面１６ｂ上を摺動する。これに伴って、梃子部材２０の他端部３０がその輪郭を規定する前記板体の周面の一部３４において上方のエレクションピース１８の一方の側面１８ａ上を摺動しながらこれに水平外力を及ぼす。その結果、上方の鉄骨１４が下方の鉄骨１２上を水平方向へ移動する。上方の鉄骨１４の水平移動により下方の鉄骨１２に対する目違いが修正又は解消される（図４）。図示の例において、鉤形部２６の先端部分３２及び他端部３０の摺動に対する抵抗をより小さいものとするため、これらの輪郭を規定する周面の一部３４、３６がそれぞれ円筒面の一部で構成されている。目違いの修正後、ボルト２２を緩めることにより、両エレクションピース１６、１８から治具１０を取り外し、これを再使用に供することができる。
【００２３】
梃子部材２０は前記目違いの修正において、梃子の機能を発揮する。このため、梃子部材２０の一端部２８に比較的小さい力を付与することで、梃子部材２０の他端部３０から重量物である上方の鉄骨１４に比較的大きい力を付与することができる。このことから、梃子部材２０の一端部２８に力を付与するために行うボルト２２の回転操作に要する力を比較的小さいものとすることができ、これにより、目違いの修正に要する労力の低減を図ることができる。
【００２４】
治具１０は、図示の例に代えて、図２で見て、その上下を逆さまにした状態にして両エレクションピース１６，１８に取り付け、その使用に供することができる。これによれば、梃子部材２０の一端部２８（ボルト２２の先端部２２ａ）及び他端部３０がそれぞれ上方のエレクションピース１８の他方の側面１８ｂ及び下方のエレクションピース１６の他方の側面１６ｂに対向する状態におかれ、また、鉤形部２６の先端部分３２が上方のエレクションピース１８の一方の側面１８ａ対向する状態におかれる。この場合においては、ボルト２２を進めて行う両エレクションピース１６、１８への梃子部材２０の取り付けの完了後、ボルト２２を回転させると、梃子部材２０が上方のエレクションピース１８の周りに反時計方向へ回転し、梃子部材２０の他端部３０が下方のエレクションピース１６に押し付けられ、梃子部材２０の鉤形部２６、より詳細にはその先端部分３２が上方の鉄骨１４に水平外力を及ぼす。これにより、上方の鉄骨１４が下方の鉄骨１２に対して水平移動し、下方の鉄骨１２に対する上方の鉄骨１４の目違いが修正又は解消される。
【００２５】
治具１０の梃子部材２０を板体からなるものとする図示の例によれば、上方の鉄骨１４の転倒を防止するために上方及び下方の両エレクションピース１６、１８に取り付けられることがある転倒防止用治具３８（図３）と上下の両鉄骨１２、１４との間への治具１０の設置を可能とすることができる。但し、梃子部材２０は、図示の例に代えて、棒状体からなるもの、例えば真っ直ぐに伸びる棒状の本体２４と、該本体からＬ形に伸びる棒状の鉤形部２６とからなるものとすることが可能である。
【符号の説明】
【００２６】
１０  治具
１２  下方の鉄骨
１４  上方の鉄骨
１６  下方のエレクションピース
１８  上方のエレクションピース
２０梃子部材
２２  ボルト
２２ａ  ボルトの先端部
２４  本体
２６  鉤形部
２８、３０  梃子部材の一端部及び他端部
３２  鉤形部の先端部分
【図１】
2018131739.tif 000003
【図２】
2018131739.tif 000004
【図３】
2018131739.tif 000005
【図４】
2018131739.tif 000006